(57)【要約】【課題】複数の電解水生成ユニットを備えた電解水生成装置で、コストを高くすることなく、各々の電解水生成ユニットを個別に電解運転させて電解水を生成させることができるようにする。【解決手段】電解水生成装置１０は、運転スイッチ７１Ａのオン操作によって、複数の電解水生成ユニット２０Ａ，２０Ｂの各電解槽２１Ａ，２１Ｂの被電解水を電気分解して電解水を生成するように制御したしたものであり、電解水生成ユニット２０Ａ，２０Ｂの各々の操作スイッチ６２Ａ，６２Ｂは電解条件の設定操作開始時に関係を有している第１スイッチ６２Ａａ，６２Ｂａと、電解状態の確認操作開始時に関係を有している第１スイッチ６２Ａｂ，６２Ｂｂと、これらの操作開始時に無関係な第２スイッチ６２Ａｃ，６２Ｂｃとを備え、複数のうちの１つの電解水生成ユニットの第２スイッチを操作したときに、第２スイッチを操作した１つの電解水生成ユニットだけを指定し、指定した電解水生成ユニットだけの電解運転をさせるようにした。【選択図】図１
2020045551.tif 000002
【特許請求の範囲】
【請求項１】
一対の電極を配設した電解槽と、前記電解槽に被電解水を供給する被電解水供給管路と、前記電極に直流電圧を印加する電源装置と、前記電源装置の作動を制御する制御装置とを有した複数の電解水生成ユニットと、
前記複数の電解水生成ユニットを電解運転させて電解水を生成させる運転スイッチとを備え、
前記運転スイッチのオン操作によって、前記各制御装置は、各々の前記被電解水供給管路から各々の前記電解槽に供給される被電解水を、各々の前記電源装置によって前記電極に直流電圧を印加することで電気分解して電解水を生成するように制御した電解水生成装置であって、
前記複数の電解水生成ユニットの各々は、電解水を生成する電解条件の設定操作と電解状態の確認操作との少なくとも一方の操作をするための複数の操作スイッチを備え、前記複数の操作スイッチは前記設定操作と前記確認操作との少なくとも一方の操作開始時に前記設定操作と前記確認操作の少なくとも一方と関係の有る第１スイッチと、操作開始時の前記設定操作と前記確認操作とに無関係な第２スイッチとを備え、
前記複数のうちの１つの電解水生成ユニットの第２スイッチを操作したときに、前記第２スイッチを操作した前記１つの電解水生成ユニットが指定され、前記運転スイッチを操作したときにこの指定された前記１つの電解生成ユニットだけを電解運転させて電解水を生成するように制御したことを特徴とする電解水生成装置。
【発明の詳細な説明】
【技術分野】
【０００１】
本発明は、電解水を生成する電解水生成装置に関する。
【背景技術】
【０００２】
特許文献１には、微酸性電解水を生成する電解水生成装置の発明が開示されている。この電解水生成装置は、一対の電極を配設した電解槽と、水道等の給水源から供給される原水を電解槽に供給する原水供給管路と、電解槽に供給される原水に塩酸を含む電解質水溶液を供給する電解質水溶液供給管路と、一対の電極に直流電圧を印加する電源装置とを備えている。この電解水生成装置は電解運転をさせて電解水を生成する運転スイッチを備え、運転スイッチのオン操作により、原水供給管路から供給される原水に電解質水溶液供給管路から供給される電解質水溶液を混合した被電解水が電解槽に供給され、被電解水は電源装置から一対の電極に印加された直流電圧によって電気分解されて微酸性電解水となる。
【先行技術文献】
【特許文献】
【０００３】
【特許文献１】特開平５−２３７４７８号公報
【発明の概要】
【発明が解決しようとする課題】
【０００４】
この種の電解水生成装置では、一対の電極を配設した電解槽と、原水供給管路と、電解質水溶液供給管路と、一対の電極に直流電圧を印加する電源装置とを有した電解水生成ユニットを２つ備えるようにし、２つの電解水生成ユニットを用いることで電解水の生成量を増加させるようにしたものがある。２つの電解水生成ユニットを備えた電解水生成装置で運転スイッチのオン操作をすると、２つの電解水生成ユニットを同時に電解運転させて電解水を生成するように制御している。２つの電解水生成ユニットを備えた電解水生成装置で、各々の電解水生成ユニットで生成される電解水の性質を点検する必要があるときに、運転スイッチをオン操作しても２つの電解水生成ユニットの両方で電解水が生成され、各々の電解水生成ユニットで生成される電解水の性質を点検することができなかった。これに対し、各々の電解水生成ユニットに運転スイッチを設ければ、１つの電解水生成ユニットで電解水を生成させることができるものの、電解水生成装置のコストが高くなる問題があった。本発明は、複数の電解水生成ユニットを備えた電解水生成装置で、コストを高くすることなく、各々の電解水生成ユニットを個別に電解運転させて電解水を生成させることができるようにすることを目的とする。  
【課題を解決するための手段】
【０００５】
上記課題を解決するために、本発明は、一対の電極を配設した電解槽と、電解槽に被電解水を供給する被電解水供給管路と、電極に直流電圧を印加する電源装置と、電源装置の作動を制御する制御装置とを有した複数の電解水生成ユニットと、複数の電解水生成ユニットを電解運転させて電解水を生成させる運転スイッチとを備え、運転スイッチのオン操作によって、各制御装置は、各々の被電解水供給管路から各々の電解槽に供給される被電解水を、各々の電源装置によって電極に直流電圧を印加することで電気分解して電解水を生成するように制御した電解水生成装置であって、複数の電解水生成ユニットの各々は、電解水を生成する電解条件の設定操作と電解状態の確認操作との少なくとも一方の操作をするための複数の操作スイッチを備え、複数の操作スイッチは設定操作と確認操作との少なくとも一方の操作開始時に設定操作と確認操作の少なくとも一方と関係の有る第１スイッチと、操作開始時の設定操作と確認操作とに無関係な第２スイッチとを備え、複数のうちの１つの電解水生成ユニットの第２スイッチを操作したときに、第２スイッチを操作した１つの電解水生成ユニットが指定され、運転スイッチを操作したときにこの指定された１つの電解生成ユニットだけを電解運転させて電解水を生成するように制御したことを特徴とする電解水生成装置を提供するものである。
【０００６】
上記のように構成した電解水生成装置においては、複数の電解水生成ユニットの各々は、電解水を生成する電解条件の設定操作と電解状態の確認操作との少なくとも一方の操作をするための複数の操作スイッチを備え、複数の操作スイッチは設定操作と確認操作との少なくとも一方の操作開始時に設定操作と確認操作の少なくとも一方と関係の有る第１スイッチと、操作開始時に設定操作と確認操作とに無関係な第２スイッチとを備え、複数のうちの１つの電解水生成ユニットの第２スイッチを操作したときに、第２スイッチを操作した１つの電解水生成ユニットが指定され、運転スイッチを操作したときにこの指定された１つの電解生成ユニットだけを電解運転させて電解水を生成するように制御した。このように、操作開始時に設定操作と確認操作とに無関係な既存の第２スイッチを操作することで、第２スイッチを操作した１つの電解水生成ユニットを指定して、この指定した１つの電解水ユニットだけを電解運転させて電解水を生成させることができるようになるので、複数の電解水生成ユニットの１つだけを電解運転させるために、個別の運転スイッチを設けてコストが高くなるのを防ぐことができた。
【図面の簡単な説明】
【０００７】
【図１】本発明の電解水生成装置の概略図である。
【図２】電解条件設定パネルを示す図である。
【図３】運転操作パネルを示す図である。
【図４】制御装置のブロック図である。
【発明を実施するための最良の形態】
【０００８】
以下に、本発明の電解水生成装置の一実施形態を添付図面を参照して説明する。本発明の電解水生成装置１０は、被電解水を無隔膜の電解槽２１Ａ，２１Ｂ内で電気分解することによって微酸性電解水を生成するものであり、特にｐＨ５．０〜６．５、有効塩素濃度１０〜８０ｐｐｍの微酸性電解水を生成するものである。図１に示したように、電解水生成装置１０は、ハウジング１１内に第１及び第２電解水生成ユニット２０Ａ，２０Ｂを備えている。第１及び第２電解水生成ユニット２０Ａ，２０Ｂは、電解槽２１Ａ，２１Ｂと、原水を供給する原水供給管路３０Ａ，３０Ｂと、各原水供給管路３０Ａ，３０Ｂから供給される原水に塩酸を含む電解質水溶液を供給する電解質水溶液供給管路４０Ａ，４０Ｂと、各電解槽２１Ａ，２１Ｂの電極２２Ａａ，２２Ａｂ、２２Ｂａ，２２Ｂｂに直流電圧を印加する電源装置５０Ａ，５０Ｂとを備えている。第１及び第２電解水生成ユニット２０Ａ，２０Ｂは互いに同じ構成であるので、以後の説明では、第１電解水生成ユニット２０Ａについて説明し、第２電解水生成ユニット２０Ｂについては第１電解水生成ユニット２０Ａの符号の後に括弧書きで記載する。
【０００９】
電解槽２１Ａ（２１Ｂ）は被電解水を電気分解するものである。電解槽２１Ａ（２１Ｂ）は一室型の無隔膜電解槽であり、電解槽２１Ａ（２１Ｂ）には一対の電極２２Ａａ，２２Ａｂ（２２Ｂａ，２２Ｂｂ）が配設されている。電解槽２１Ａ（２１Ｂ）には水道等の給水源から原水を供給する原水供給管路３０Ａ（３０Ｂ）と、電解槽２１Ａ（２１Ｂ）で生成された微酸性電解水を注出する注出管路２３Ａ（２３Ｂ）とが接続されている。
【００１０】
原水供給管路３０Ａ（３０Ｂ）には減圧弁３１と通水弁３２Ａ（３２Ｂ）が介装されている。給水源から送られる原水は減圧弁３１によって圧力が下げられ、通水弁３２Ａ（３２Ｂ）の開放によって電解槽２１Ａ（２１Ｂ）に供給される。また、原水供給管路３０Ａ（３０Ｂ）には温度センサ３３Ａ（３３Ｂ）と流量計３４Ａ（３４Ｂ）が介装されており、温度センサ３３Ａ（３３Ｂ）は原水供給管路３０Ａ（３０Ｂ）を通過する原水の温度を検出し、流量計３４Ａ（３４Ｂ）は原水供給管路３０Ａ（３０Ｂ）を通過する原水の流量を検出する。なお、この原水供給管路３０Ａ（３０Ｂ）にはアルカリ度測定器を設け、アルカリ度測定器により原水のＭアルカリ度を計測するようにしてもよい。
【００１１】
原水供給管路３０Ａ（３０Ｂ）には電解質水溶液供給管路４０Ａ（４０Ｂ）が接続されている。電解質水溶液供給管路４０Ａ（４０Ｂ）は電解質水溶液タンク４１から電解質水溶液を原水供給管路３０Ａ（３０Ｂ）に供給するものである。電解質水溶液タンク４１内に貯えた電解質水溶液は少なくとも塩酸を含むものであり、この実施形態では飽和塩化ナトリウム水溶液に塩酸を所定濃度となるように調製したものである。なお、この実施形態では、電解水生成ユニット２０Ａ，２０Ｂは共通の電解質水溶液タンク４１から電解質水溶液が供給されるようになっているが、これに限られるものでなく、電解水生成ユニット２０Ａ，２０Ｂの各々が電解質水溶液タンクを備えるようにし、電解水生成ユニット２０Ａ，２０Ｂは各々の電解質水溶液タンクから電解質水溶液を供給されるようにしたものであってもよい。この特許請求の範囲に記載の被電解水供給管路は、この実施形態では原水供給管路３０Ａ（３０Ｂ）と電解質水溶液供給管路４０Ａ（４０Ｂ）とから構成されている。
【００１２】
電解質水溶液供給管路４０Ａ（４０Ｂ）には送出ポンプ（送出手段）４２Ａ（４２Ｂ）が介装されており、電解質水溶液タンク４１内の電解質水溶液は送出ポンプ４２Ａ（４２Ｂ）の作動によって電解質水溶液供給管路４０Ａ（４０Ｂ）を通って原水供給管路３０Ａ（３０Ｂ）に送られる。送出ポンプ４２Ａ（４２Ｂ）は流量可変型のポンプであり、パルス信号によるポンプのストローク数によって流量が調節されるようになっている。電解質水溶液タンク４１内の電解質水溶液は原水のＭアルカリ度によって異なる塩酸濃度の電解質水溶液が用いられる。具体的には、原水のＭアルカリ度が２０〜４０ｐｐｍのときには塩酸濃度が０．８ｗｔ％の電解質水溶液を用い、原水のＭアルカリ度が４０〜６０ｐｐｍのときには塩酸濃度が１．０ｗｔ％の電解質水溶液を用い、原水のＭアルカリ度が６０〜８０ｐｐｍのときには塩酸濃度が１．２ｗｔ％の電解質水溶液を用いるようにしている。
【００１３】
電源装置５０Ａ（５０Ｂ）は電解槽２１Ａ（２１Ｂ）内の電極２２Ａａ，２２Ａｂ（２２Ｂａ，２２Ｂｂ）に直流電圧を印加して、電解槽２１Ａ（２１Ｂ）内の被電解水を電気分解するものである。電源装置５０Ａ（５０Ｂ）と電極２２Ａｂ（２２Ｂｂ）との間には電流計５１Ａ（５１Ｂ）が接続されており、電流計５１Ａ（５１Ｂ）は電源装置５０Ａ（５０Ｂ）から電極２２Ａｂ（２２Ｂｂ）を接続する配線を流れる電流を計測することで、電解槽２１Ａ（２１Ｂ）を流れる電解電流を計測するものである。電極２２Ａａ，２２Ａｂ（２２Ｂａ，２２Ｂｂ）の間には電圧計５２Ａ（５２Ｂ）が接続されており、電圧計５２Ａ（５２Ｂ）は電極２２Ａａ，２２Ａｂ（２２Ｂａ，２２Ｂｂ）に印加される電圧を計測することで、電解槽２１Ａ（２１Ｂ）の電解電圧を計測するものである。
【００１４】
図２に示したように、電解水生成装置１０の第１電解水生成ユニット２０（２０Ｂ）は主として電解水を生成する条件を設定する電解条件設定パネル６０Ａ（６０Ｂ）を備えており、電解条件設定パネル６０Ａ（６０Ｂ）には表示部６１Ａ（６１Ｂ）と操作スイッチ６２Ａ（６２Ｂ）が設けられている。表示部６１Ａ（６１Ｂ）は、電流値、電圧値または水温を表示させる表示パネル６１Ａａ（６１Ｂａ）と、表示パネル６１Ａａ（６１Ｂａ）に表示されている数値の種類を示す表示ランプ６１Ａｂ（６１Ｂｂ）とを備えている。表示パネル６１Ａａ（６１Ｂａ）には温度センサ３３Ａ（３３Ｂ）により検出した原水の水温、電流計５１Ａ（５１Ｂ）により計測した電流、電圧計５２Ａ（５２Ｂ）により計測した電圧、設定した電流または電圧等を表示可能としている。表示ランプ６１Ａｂ（６１Ｂｂ）は電圧、電流及び水温を表示させるランプを備え、表示ランプ６１Ａｂ（６１Ｂｂ）で点灯している電圧、電流または水温が表示パネル６１Ａａ（６１Ｂａ）に表示されるようになっている。
【００１５】
操作スイッチ６２Ａ（６２Ｂ）は電解水を生成する電解条件の設定操作と、電解状態の確認操作とに用いられるものであり、設定スイッチ６２Ａａ（６２Ｂａ）と、表示切替／ＵＰスイッチ６２Ａｂ（６２Ｂｂ）と、アスタリスクマーク／ＤＯＷＮスイッチ６２Ａｃ（６２Ｂｃ）とを備えている。設定スイッチ６２Ａａ（６２Ｂａ）は設定電圧、設定電流等を変更する電解条件の設定操作に用いるスイッチであり、電解条件の設定操作の操作開始時に操作に関係のあるスイッチ、すなわち設定操作の操作開始時に操作機能を有しているスイッチである。
【００１６】
表示切替／ＵＰスイッチ６２Ａｂ（６２Ｂｂ）は主として電解状態の確認操作に用いられるスイッチであり、電解状態の確認操作の操作開始時に操作に関係のあるスイッチ、すなわち確認操作の操作開始時に操作機能を有しているスイッチである。
【００１７】
アスタリスクマーク／ＤＯＷＮスイッチ６２Ａｃ（６２Ｂｃ）は、電解条件の設定操作の操作開始時と電解状態の確認操作の操作開始時に、設定操作と確認操作に無関係なスイッチ、すなわち設定操作の操作開始時と確認操作の操作開始時とに操作機能を有していないスイッチである。アスタリスクマーク／ＤＯＷＮスイッチ６２Ａｃ（６２Ｂｃ）は、電解条件の設定操作の操作開始時に設定スイッチ６２Ａａ（６２Ｂａ）を押した状態とした後で操作に関係のあるスイッチ、すなわち操作機能を有するようになるスイッチである。また、このアスタリスクマーク／ＤＯＷＮスイッチ６２Ａｃ（６２Ｂｃ）は、第１電解水生成ユニット１０Ａまたは第２電解水生成ユニット１０Ｂだけで電解運転をさせて電解水を生成するのに指定するスイッチに用いられている。
【００１８】
電解条件の設定操作をするときに、設定スイッチ６２Ａａ（６２Ｂａ）を押した状態とすると、表示パネル６１Ａａ（６１Ｂａ）に電圧または電流の設定値が表示され、その時に表示切替／ＵＰスイッチ６２Ａｂ（６２Ｂｂ）を押すと電圧または電流の設定値が増加し、アスタリスクマーク／ＤＯＷＮスイッチ６２Ａｃ（６２Ｂｃ）を押すと電圧または電流の設定値が減少する。また、設定スイッチ６２Ａａ（６２Ｂａ）を押していないときには、表示ランプ６１Ａｂ（６１Ｂｂ）には選択されている電圧、電流または水温が点灯表示され、表示パネル６１Ａａ（６１Ｂａ）には選択されている電圧、電流または水温の計測値が表示されている。電解状態を確認する操作をするときには、表示切替／ＵＰスイッチ６２Ａｂ（６２Ｂｂ）を押すと、表示ランプ６１Ａｂ（６１Ｂｂ）に選択されている電圧、電流または水温が切り替えられ、表示パネル６１Ａａ（６１Ｂａ）には切り替えられた電圧、電流または水温の計測値が表示される。
【００１９】
図３に示したように、電解水生成装置１０はハウジング１１の前面に運転操作パネル７０を備え、運転操作パネル７０には運転スイッチ７１が設けられている。運転スイッチ７１は第１及び第２電解水生成ユニット２０Ａ，２０Ｂを電解運転させて電解水を生成させるものである。上述したアスタリスクマーク／ＤＯＷＮスイッチ６２Ａｃまたは６２Ｂｃを押してから運転スイッチ７１をオン操作したときには、アスタリスクマーク／ＤＯＷＮスイッチ６２Ａｃまたは６２Ｂｃを押して指定した第１または第２電解水生成ユニット２０Ａ，２０Ｂを電解運転させて電解水を生成させるものである。
【００２０】
図４に示したように、第１電解水生成ユニット２０Ａは制御装置８０Ａ（８０Ｂ）を備えており、制御装置８０Ａ（８０Ｂ）は、通水弁３２Ａ（３２Ｂ）、温度センサ３３Ａ（３３Ｂ）、流量計３４Ａ（３４Ｂ）、送出ポンプ４２Ａ（４２Ｂ）、電源装置５０Ａ（５０Ｂ）、電流計５１Ａ（５１Ｂ）、電圧計５２Ａ（５２Ｂ）、電解条件設定パネル６０Ａ（６０Ｂ）及び運転操作パネル７０に接続されている。制御装置８０Ａ（８０Ｂ）はマイクロコンピュータ（図示省略）を有しており、マイクロコンピュータは、バスを介してそれぞれ接続されたＣＰＵ、ＲＡＭ、ＲＯＭ及びタイマ（いずれも図示省略）を備えている。制御装置８０Ａ（８０Ｂ）は、ＲＯＭに微酸性電解水を生成する際の電解制御プログラムを備えており、電解制御プログラムは被電解水を電気分解するときの設定電流と設定電圧が微酸性電解水の要求特性を満たすように原水のＭアルカリ度（アルカリ度）と電解質水溶液の塩酸濃度とに応じて設定されている。また、電解制御プログラムの設定電流と設定電圧は、原水のアルカリ度と電解質水溶液の塩酸濃度だけでなく、原水の温度にも応じて設定されている。
【００２１】
この電解水生成装置１０における電解制御プログラムを用いた微酸性電解水の生成について説明する。電解水生成装置１０を設置したときには、制御装置８０Ａ及び８０Ｂの電解制御プログラムに設置場所で測定した原水のＭアルカリ度と、原水のＭアルカリ度に対応した電解質水溶液の塩酸濃度を電解条件設定パネル６０Ａ（６０Ｂ）の操作スイッチ６２Ａ（６２Ｂ）の操作によって入力しておく。運転操作パネル７０の運転スイッチ７１を押動動作したときには、図示しない微酸性電解水の貯水タンク内の水位が低下したときに、第１及び第２電解水生成ユニット２０Ａ，２０Ｂで電解運転をさせて微酸性電解水を生成するように制御している。
【００２２】
第１及び第２電解水生成ユニット２０Ａ，２０Ｂで電解運転をして微酸性電解水を生成するときには、制御装置８０Ａ（８０Ｂ）は通水弁３２Ａ及び３２Ｂを開放させ、給水源の原水が原水供給管路３０Ａ，３０Ｂを通って電解槽２１Ａ，２１Ｂに供給される。また、上述したように、微酸性電解水の要求特性を満たすために、予め入力した原水のＭアルカリ度と電解質水溶液の塩酸濃度と、温度センサ３３Ａ，３３Ｂによる検出水温に基づいて設定された設定電流と設定電圧となるように、制御装置８０Ａ，８０Ｂは電圧計５２Ａ，５２Ｂにより計測される電圧が設定電圧となるように電源装置５０Ａ，５０Ｂによる電極２２Ａａ，２２Ｂａに対する電圧の印可を制御するとともに、電流計５１Ａ，５１Ｂにより計測される電流が設定電流となるように送出ポンプ４２Ａ，４２Ｂによる電解質水溶液の流量を制御している。
【００２３】
電解槽２１Ａ，２１Ｂ内に供給される被電解水は電源装置５０Ａ，５０Ｂから電極２２Ａａと２２Ａｂ、２２Ｂａと２２Ｂｂの間を流れる直流電流により電気分解され、アノード側で塩素イオンが次亜塩素酸となり、カソード側ではナトリウムイオンと水の反応で水酸化ナトリウムと水素ガスが発生する。また、カソード側で発生した水酸化ナトリウムは被電解水に含まれる塩酸によって中和され、生成された電解水は全体としてｐＨが５．０〜６．５となる。このように、電解水生成装置１０で生成される電解水は、ｐＨが５．０〜６．５で有効塩素濃度が１０〜８０ｐｐｍの要求特性を満たした微酸性電解水となっている。
【００２４】
電解制御プログラムの設定電流と設定電圧で被電解水を電気分解しても、電解槽２１Ａ及び２１Ｂに配設される電極２２Ａａと２２Ａｂ、電極２２Ｂａと２２Ｂｂの電極特性により、生成される微酸性電解水の性質が上述した要求特性を満たさないときがある。この場合には、生成される微酸性電解水の性質が上述した要求特性を満たすように、電解条件設定パネル６０Ａ，６０Ｂの操作スイッチ６２Ａ，６２Ｂにより設定電流と設定電圧を変更する必要がある。
【００２５】
第１電解水生成ユニット２０Ａの設定電圧、設定電流等の電解条件を変更するときには、必要に応じて表示切替／ＵＰスイッチ６２Ａｂを押す操作をして電圧または電流を選択して、表示ランプ６１Ａｂの電圧ランプまたは電流ランプを点灯させた状態とし、設定スイッチ６２Ａａを押した状態を維持し、表示切替／ＵＰスイッチ６２Ａｂまたはアスタリスクマーク／ＤＯＷＮスイッチ６２Ａｃを押す操作をして、設定電圧及び／または設定電流を変更する。第２電解水生成ユニット２０Ｂの設定電圧、設定電流等の電解条件を変更するときも第１電解水生成ユニット２０Ａと同様である。                            
【００２６】
第１または第２電解水生成ユニット２０Ａ，２０Ｂの設定電流と設定電圧を変更後に、第１または第２電解水生成ユニット２０Ａ，２０Ｂで生成された微酸性電解水の性質を個別に確認する必要がある。このとき、運転操作パネル７０の運転スイッチ７１を押動動作しても、第１及び第２電解水生成ユニット２０Ａ，２０Ｂの両方で電解運転をして微酸性電解水を生成することになり、第１電解水生成ユニット２０Ａまたは第２電解水生成ユニット２０Ｂだけで電解運転して一方だけの微酸性電解水を生成することができない。
【００２７】
この実施形態の電解水生成装置１０においては、２つ（複数）の電解水生成ユニット２０Ａ，２０Ｂの各々は、電解水を生成する電解条件の設定操作と電解状態の確認操作とのための操作スイッチ６２Ａ（６２Ａａ〜６２Ａｃ），６２Ｂ（６２Ｂａ〜６２Ｂｃ）を備えている。操作スイッチ６２Ａａ（６２Ａａ〜６２Ａｃ），６２Ｂａ（６２Ｂａ〜６２Ｂｃ）は電解水を生成する電解条件を設定する設定操作の操作開始時に設定操作に関係を有している設定スイッチ６２Ａａ（６２Ｂａ）と、電解状態の確認をする確認操作の操作開始時に確認操作に関係を有している表示切替／ＵＰスイッチ６２Ａｂ（６２Ｂｂ）と、電解条件の設定操作と電解状態の確認操作との操作開始時に設定操作と確認操作とに無関係なアスタリスクマーク／ＤＯＷＮスイッチ６２Ａｃ（６２Ｂｃ）とを備えている（設定スイッチと表示切替／ＵＰスイッチが特許請求の範囲の第１スイッチに相当し、アスタリスクマーク／ＤＯＷＮスイッチが特許請求の範囲の第２スイッチに相当する）。
【００２８】
この電解水生成装置１０においては、電解条件の設定操作と電解状態の確認操作の操作開始時に設定操作と確認操作とに無関係な既存の第１電解水生成ユニット２０Ａのアスタリスクマーク／ＤＯＷＮスイッチ６２Ａｃを押す操作をしたときに、アスタリスクマーク／ＤＯＷＮスイッチ６２Ａｃを押す操作をした第１電解水生成ユニット２０Ａが指定され、運転スイッチ７１をオン操作したときにこの指定された第１電解水生成ユニット２０Ａだけを電解運転させて電解水を生成させるように制御している。同様に、第２電解水生成ユニット２０Ｂのアスタリスクマーク／ＤＯＷＮスイッチ６２Ｂｃを押す操作をしたときに、アスタリスクマーク／ＤＯＷＮスイッチ６２Ｂｃを押す操作をした第２電解水生成ユニット２０Ｂが指定され、運転スイッチ７１をオン操作したときにこの指定された第２電解水生成ユニット２０Ｂだけを電解運転させて電解水を生成させるように制御した。
【００２９】
このように、電解状態の設定操作と電解状態の確認操作とに用いられている既存の操作スイッチ６２Ａ（６２Ａａ〜６２Ａｃ），６２Ｂ（６２Ｂａ〜６２Ｂｃ）で、電解状態の設定操作の操作開始時と電解状態の確認操作の操作開始時にこれらの操作と無関係となっている既存のアスタリスクマーク／ＤＯＷＮスイッチ６２Ａｃまたはアスタリスクマーク／ＤＯＷＮスイッチ６２Ｂｃを第１電解水生成ユニット１０Ａまたは第２電解水生成ユニット１０Ｂの単独の電解運転の指定に用いることができるので、各々の電解水生成ユニットに新たなスイッチを設けることなく、電解水生成装置１０のコストアップとなるのを防ぐことができた。また、電解水生成ユニット２０Ａと電解水生成ユニット２０Ｂとの一方だけを電解運転させて電解水を生成させることができるため、消費電力を抑えるようにして電解水生成装置１０により微酸性電解水を生成させることができるようになった。
【００３０】
この実施形態の電解水生成装置１０は、複数の電解水生成ユニットとして、２つの電解水生成ユニット２０Ａ，２０Ｂを備えているが、本発明はこれに限られるものでなく、複数の電解水生成ユニットとして、３つ以上の電解水生成ユニットを備えたものであってもよい。
【００３１】
この実施形態の電解水生成装置１０は、設定操作スイッチの第１スイッチとして設定スイッチ６２Ａａ（６２Ｂａ）と表示切替／ＵＰスイッチ６２Ａｂ（６２Ｂｂ）とを用い、設定操作スイッチの第２スイッチとしてアスタリスクマーク／ＤＯＷＮスイッチ６２Ａｃ（６２Ｂｃ）を用いたが、本発明はこれに限られるものでなく、第１スイッチには電解水を生成する電解条件の設定操作開始時と電解状態の確認操作開始時との少なくとも一方で関係を有している、すなわち操作機能を有していて、第２スイッチには電解水を生成する電解条件の設定操作の操作開始時と電解状態の確認操作の操作開始時とで無関係な、すなわち操作機能を有していないものを用いればよい。
【００３２】
この実施形態の電解水生成装置１０は微酸性電解水を生成するものであるが、本発明はこれに限られるものでなく、弱酸性電解水（弱アルカリ性電解水）、強酸性電解水（強アルカリ性電解水）を生成するものであってもよい。
【符号の説明】
【００３３】
１０…電解水生成装置、２０Ａ，２０Ｂ…電解水生成ユニット（第１または第２電解水生成ユニット）、２１Ａ，２１Ｂ…電解槽、２２Ａａ，２２Ａｂ，２２Ｂａ，２２Ｂｂ…電極、３０Ａ，３０Ｂ…原水供給管路、４０Ａ，４０Ｂ…電解質水溶液供給管路、５０Ａ，５０Ｂ…電源装置、６２Ａ，６２Ｂ…操作スイッチ、６２Ａａ，６２Ａｂ，６２Ｂａ，６２Ｂｂ…第１スイッチ、６２Ａｃ，６２Ｂｃ…第２スイッチ、８０Ａ，８０Ｂ…制御装置。
【図１】
2020045551.tif 000003
【図２】
2020045551.tif 000004
【図３】
2020045551.tif 000005
【図４】
2020045551.tif 000006